(57)【特許請求の範囲】
【請求項１】
マンホール部材の底部に敷設された導電性セメントと、該導電性セメントの上面に配設された接地体と、該接地体と前記マンホール部材を接続する絶縁導線とからなり、前記接地体が、絶縁性の樋状部材と、該樋状部材の長手方向に沿って、前記樋状部材の内面に固着された複数個の略Ｕ字状の保持板と、該保持板の底板部に取着された導電性金属板と、端部キャップと、該導電性金属板に接続された絶縁導線と、前記樋状部材に充填された導電性セメントとから構成されていることを特徴とする埋設構造体接地装置。
【発明の詳細な説明】
【技術分野】
【０００１】
本発明は、地中に埋設されたマンホールやハンドホール等、又は、これらマンホールやハンドホール間に配設された配管路等の埋設構造体に設置される埋設構造体接地装置に関するものである。
【０００２】
埋設構造体接地装置は、上述した埋設構造体内に配設された配電線路や通信線路及びこれらに接続された接続機器等の補修作業等の際に、作業者を感電から保護するとともに、工事機械や機器等を接地するためのものである。
【背景技術】
【０００３】
近年、配電線路や通信線路等の敷設が、架空線路に代えて、地下線路に敷設されることが増加しており、作業者の感電からの保護と工事機械や機器等の接地等、接地装置の安定な接地抵抗のもとに、線路等を接地した上で、限られた狭い空間内において、配線作業等の作業を実施している。
【０００４】
従来の埋設構造体接地装置は、マンホールの側壁に貫通孔を穿設し、この貫通孔を介して、大地中に金属製の接地棒を打設し、更に、接地棒に対応して、犠牲陽極棒を大地中に打設して設けるとともに、上記接地棒と上記犠牲陽極棒とを電気的に接続することにより構成されている。
【０００５】
上述した従来の埋設構造体接地装置においては、金属製の接地棒が、土壌の電解質等で電気化学的に腐食されて接地抵抗が増大し、所定の接地機能の維持が不能となることを防止するために、金属製の接地棒に電気的に接続された犠牲陽極棒で、所謂、ガルバニック電池を構成することにより、接地棒の腐食を防止していた。このような埋設構造体接地装置は、一例として、特許文献１に開示されている。
【０００６】
【特許文献１】実公昭６３−５０７７９号公報
【発明の開示】
【発明が解決しようとする課題】
【０００７】
従来の埋設構造体接地装置においては、上述したように、地中埋設構造体を構成するマンホール等の側壁に、接地棒や犠牲陽極棒を、大地中に配設するための貫通孔を穿設する必要があり、従って．接地棒や犠牲陽極棒や接地導体を、大地中に設置後に、貫通孔に、マンホール等内への水の侵入を防ぐための防水封止処理を施さなければならず、この防水封止処理に、多大な手間と時間と費用がかかるという問題があった。
【０００８】
また、上述した埋設構造体接地装置は、犠牲陽極棒による接地棒の腐食の防止効果は大きいが、反面、接地棒に電気的に接続された犠牲陽極棒が消耗することになり、犠牲陽極棒を交換しなければならないという問題があった。このように、犠牲陽極棒が消耗するので、犠牲陽極棒の交換が必要となり、従って、犠牲陽極棒の交換に、多大な手間と時間と費用がかかるという問題があった。
【０００９】
本発明の目的は、上述した従来の埋設構造体接地装置が有する課題を解決することにある。
【課題を解決するための手段】
【００１０】
本発明は、上述した目的を達成するために、マンホール部材の底部に敷設された導電性セメントと、該導電性セメントの上面に配設された接地体と、該接地体と前記マンホール部材を接続する絶縁導線とからなり、前記接地体を、絶縁性の樋状部材と、該樋状部材の長手方向に沿って、前記樋状部材の内面に固着された複数個の略Ｕ字状の保持板と、該保持板の底板部に取着された導電性金属板と、端部キャップと、該導電性金属板に接続された絶縁導線と、前記樋状部材に充填された導電性セメントとにより構成したものである。
【発明の効果】
【００１１】
接地体を構成する絶縁性を有する樋状部材の凹部溝に充填された導電性セメントを介して、或いは、該導電性セメント及び接地体が設置されるマンホール部材の箱体に付設された導電性セメントを介して、大地に埋設されたマンホール部材の箱体に、接地体を設置するように構成したので、接地体と大地とを、確実に接地接続することができるとともに、樋状部材が絶縁性を有するので、接地体に作業者が触れても、感電する危険性がない。
【００１２】
また、接地体を構成する絶縁性を有する樋状部材の凹部溝に充填された導電性セメントを介して、或いは、該導電性セメント及び接地体が設置されるマンホール部材の箱体に付設された導電性セメントを介して、大地に埋設されたマンホール部材の箱体に、接地体を設置するように構成したので、マンホール部材の箱体に、接地体や犠牲陽極棒が挿通される貫通孔を穿設する必要がないので、このような貫通孔の穿設工事に伴う費用の増加や工事の長期化を防止することができるとともに、このような貫通孔を塞ぐための防水封止処理工事の必要がなく、よって、埋設構造体接地装置の施工工事の短縮化を実現することができるとともに、防水個所の修繕等の必要がなく、ランニングコストの皆無な半永久的な埋設構造体接地装置を提供することができる。更にまた、犠牲陽極棒を設置する必要がないので、従来、犠牲陽極棒の交換に要していた手間と時間と費用を省略することができる。
【００１３】
更に、接地体を構成する絶縁性を有する樋状部材の凹部溝に充填された導電性セメントを介して、或いは、該導電性セメント及び接地体が設置されるマンホール部材の箱体に付設された導電性セメントを介して、大地に埋設されたマンホール部材の箱体に、接地体を設置するように構成したので、マンホール部材の箱体と接地体との接触面の腐食等による接触抵抗の増大を防止することができる。
【００１４】
接地体を構成する樋状部材の凹部溝に、保持板を介して、導電性金属板を取り付けるとともに、該導電性金属板に、絶縁導線が接続された接地導体部材を取り付け、更に、保持板、導電性金属板及び接地導体部材を、樋状部材の凹部溝に充填された導電性セメント内に埋設するように構成したので、保持板、導電性金属板及び接地導体部材の腐食を防止することができる。
【実施例】
【００１５】
以下に、本発明の実施例について説明するが、本発明の趣旨を越えない限り何ら、本実施例に限定されるものではない。なお、以下においては、埋設構造体接地装置が、埋設構造体を構成するマンホールに設置される例を用いて、本発明の実施例について説明する。
【００１６】
図１において、１は、マンホールやハンドホール等のマンホール部材であり、マンホール部材１は、略円筒状の出入口部１ａと、配電線路や通信線路等の線路２や後述する接地体３が配設される箱体１ｂと、出入口部１ａの上部開口に被蓋される蓋１ｃとを有している。上記のマンホール部材１は、出入口部１ａの上部開口に被蓋される蓋１ｃが、大地地表面ＧＬに露出するように、大地Ｇに掘削された掘削空間に埋設されている。マンホール部材１は、鋳物等の金属により形成される蓋１ｃ以外は、コンクリートや合成樹脂等で形成されている。
【００１７】
上述したマンホール部材１を構成する箱体１ｂの一方の相対する側壁１ｂ１には、配電線路や通信線路等の線路２を、箱体１ｂに引き込むための線路用孔１ｂ２が穿設されている。
【００１８】
３は、接地体であって、接地体３は、図２に示されている絶縁性の長尺の樋状部材３ａと、図３に示されている銅材やチタン材等により形成された長尺の帯状の導電性金属板３ｂと、図４に示されている保持板３ｃと、樋状部材３ａの端部に配置される、図５に示されている絶縁材からなる端部キャップ３ｄと、図６に示されている接地導体部材３ｅと、樋状部材３ａ内に充填される、カーボンとセメント等からなる導電性セメント３ｆから構成されている。なお、図５に示されているように、一例として、端部キャップ３ｄは、半円形状の封鎖壁３ｄ１と、封鎖壁３ｄ１の円弧辺に沿って、且つ、封鎖壁３ｄ１に略垂直に立設された円弧状周壁３ｄ２とから形成されている。
【００１９】
樋状部材３ａは、凹部溝３ａ１を有しているとともに、所定の位置に、孔３ａ２が穿設されてる。また、導電性金属板３ｂは、樋状部材３ａと略同じ長さに形成されているとともに、導電性金属板３ｂには、長さ方向に沿って、複数の孔３ｂ１が穿設されている。更に、保持板３ｃは、底板部３ｃ１と、底板部３ｃ１の両端部に、底板部３ｃ１から立設するように配設された側板部３ｃ２とにより、側面形状が略Ｕ字状に形成されているとともに、底板部３ｃ１には、孔３ｃ１’が穿設されている。更にまた、接地導体部材３ｅを構成する絶縁導線３ｅ１は、孔３ｅ２’が穿設された接続端子３ｅ２に電気的に接続されている。
【００２０】
次に、接地体３を構成する樋状部材３ａ、導電性金属板３ｂ、保持板３ｃ、端部キャップ３ｄ及び接地導体部材３ｅの組み立てについて説明する。
【００２１】
先ず最初に、図７に示されているように、樋状部材３ａの凹部溝３ａ１内に、所定の間隔を置いて、保持板３ｃを配置するとともに、樋状部材３ａの内面と保持板３ｃの側板部３ｃ２とを、適当な接着剤等により固着する。次いで、保持板３ｃの底板部３ｃ１に、導電性金属板３ｂに穿設された孔３ｂ１と保持板３ｃの底板部３ｃ１に穿設された孔３ｃ１’とが整合するように、導電性金属板３ｂを載置する。その後、保持板３ｃの底板部３ｃ１に穿設された孔３ｂ１’と導電性金属板３ｂに穿設された孔３ｂ１とに、ボルトＢを挿通するとともに、ボルトＢにナットＮを螺合させることにより、保持板３ｃの底板部３ｃ１に、導電性金属板３ｂを取り付ける。なおこの際、導電性金属板３ｂに穿設された所定の１つの孔３ｂ１（本実施例には、図７に示されているように、右から３番目の孔３ｂ１）が位置する導電性金属板３ｂには、保持板３ｃが配置されていないとともに、上記の所定の１つの孔３ｂ１には、ボルトＢを挿通しないでおく。
【００２２】
次に、図８に示されているように、上述した導電性金属板３ｂのボルトＢが挿通されていない孔３ｂ１と接地導体部材３ｅを構成する接続端子３ｅ２に穿設された孔３ｅ２’とが整合するように、導電性金属板３ｂの裏面に接地導体部材３ｅを配置した後、導電性金属板３ｂに穿設された孔３ｂ１と接地導体部材３ｅを構成する接続端子３ｅ２に穿設された孔３ｅ２’とに、ボルトＢを挿通するとともに、ボルトＢにナットＮを螺合させることにより、導電性金属板３ｂに、接地導体部材３ｅを取り付けることにより、導電性金属板３ｂと接地導体部材３ｅとを、電気的に接続する。その後、接地導体部材３ｅを構成する絶縁導線３ｅ１の自由端を、樋状部材３ａに穿設された孔３ａ２に挿通するとともに、絶縁導線３ｅ１の自由端を、図１に示されているように、端子板４を介して、マンホール部材１の出入口部１ａ等に接続する。次いで、樋状部材３ａの両端部に、端部キャップ３ｄを被せるとともに、適当な接着剤等により、樋状部材３ａの両端部に、端部キャップ３ｄを固着する。
【００２３】
図９に示されているように、接地体３を構成する樋状部材３ａ、導電性金属板３ｂ、保持板３ｃ、端部キャップ３ｄ及び接地導体部材３ｅを組み立てた後に、両端に端部キャップ３ｄが固着された樋状部材３ａの凹部溝３ａ１内に、カーボンとセメントを水で混練してなる生の導電性セメント３ｆを充填するとともに、生の導電性セメント３ｆを硬化させることにより、接地体３が構成されることになる。
【００２４】
次いで、上述したマンホール部材１の箱体１ｂの底部１ｂ３の上面に、上述したカーボンとセメントを水で混練してなる導電性セメント３ｆと同様の生の導電性セメントを、所定の厚さに付設し、その後、この生の導電性セメントに、接地体３を構成する樋状部材３ａの凹部溝３ａ１内に充填され硬化された導電性セメント３ｆが接触するように、接地体３を載置するとともに、上記の箱体１ｂの底部１ｂ３の上面に付設された生の導電性セメントを硬化させることにより、マンホール部材１の箱体１ｂの底部１ｂ３に、接地体３を設置する。
【００２５】
上述した実施例には、接地体３を構成する樋状部材３ａの凹部溝３ａ１内に充填された導電性セメント３ｆを、この導電性セメント３ｆと同様の導電性セメントを介して、マンホール部材１の箱体１ｂに接触させることにより、接地体３を、マンホール部材１に設置するようにした例が示されているが、導電性セメント３ｆが充填されていない接地体３を、樋状部材３ａの凹部溝３ａ１が、マンホール部材１の箱体１ｂ側に位置するように、マンホール部材１の箱体１ｂの底部１ｂ３に配置し、次いで、樋状部材３ａの凹部溝３ａ１内に、セメント充填機等を用いて、生の導電性セメント３ｆを充填し、その後、生の導電性セメント３ｆを硬化させることにより、接地体３を、マンホール部材１に設置するように構成することもできる。
【００２６】
上述したようにして、樋状部材３ａ、導電性金属板３ｂ、保持板３ｃ、端部キャップ３ｄ、接地導体部材３ｅ及び導電性セメント３ｆとからなる接地体３を、マンホール部材１の箱体１ｂに設置するとともに、接地体３を構成する接地導体部材３ｅの絶縁導線３ｅ１を、端子板４を介して、マンホール部材１に接続することにより、本願発明の埋設構造体接地装置が構成されることになる。
【００２７】
なお、上述した実施例には、導電性金属板３ｂが、一枚の金属板で形成された例が示されているが、導電性金属板３ｂを、複数の短い金属板を繋ぎ合わせることにより構成することもできる。このように、導電性金属板３ｂを、複数の短い金属板を繋ぎ合わせることにより構成することは、導電性金属板３ｂの材料として、加工性に難点があるが、耐腐食性に優れたチタン材を使用する場合に、特に、有効である。
【００２８】
また、上述した実施例には、接地体３を、マンホール部材１を構成する箱体１ｂの底部１ｂ３に設置した例が示されているが、接地体３を、箱体１ｂの側壁１ｂ４の内面（箱体１ｂ内に位置する面）や天部１ｂ５の内面（箱体１ｂ内に位置する面）に取り付けることもできる。更に、接地体３を、箱体１ｂの底部１ｂ３の外面（箱体１ｂの外側に位置する面）や側壁１ｂ４の外面（箱体１ｂの外側に位置する面）や天部１ｂ５の外面（箱体１ｂの外側に位置する面）に取り付けることもできる。
【００２９】
上述したように、接地体３を、接地体３を構成する樋状部材３ａの凹部溝３ａ１に充填された導電性セメント３ｆを介して、或いは、この導電性セメント３ｆ及びマンホール部材１の箱体１ｂに付設された導電性セメントを介して、マンホール部材１の箱体１ｂに設置したので、接地体３と大地Ｇとを、確実に接地接続することができるとともに、樋状部材３ａが絶縁性を有するので、接地体３に作業者が触れても、感電の危険がない。
【００３０】
また、大地Ｇに埋設されたマンホール部材１の箱体１ｂに、接地体３を構成する樋状部材３ａの凹部溝３ａ１に充填された導電性セメント３ｆを介して、或いは、この導電性セメント３ｆ及びマンホール部材１の箱体１ｂに付設された導電性セメントを介して、マンホール部材１に、接地体３を設置するように構成したので、マンホール部材１と接地体３との接触面の腐食等による接触抵抗の増大を防止することができる。
【００３１】
更に、上述したように、大地Ｇに埋設されたマンホール部材１に、接地体３を取り付けるための貫通孔を穿設することなく、マンホール部材１に、接地体３を設置するように構成されているので、マンホール部材１に穿設された貫通孔を塞ぐような防水封止処理工事の必要がなく、従って、埋設構造体接地装置の施工工事の短縮化を実現することができるとともに、防水封止個所の修繕等の必要がなく、よって、ランニングコストの皆無な半永久的な埋設構造体接地装置を提供することができる。
【００３２】
更にまた、接地体３を、大地Ｇの土壌に埋設した比抵抗の小さなマンホール部材１の箱体１ｂに取り付けたので、簡易で、且つ、安価に、低い接地抵抗を有する埋設構造体接地装置を得ることができる。
【００３３】
更になお、接地体３を構成する樋状部材３ａの凹部溝３ａ１に充填された導電性セメント３ｆを介して、或いは、この導電性セメント３ｆ及びマンホール部材１の箱体１ｂに付設された導電性セメントを介して、接地体３を、マンホール部材１の箱体１ｂに設置するように構成したので、特別な固着部材や機械部材を必要とせず、従って、接地体３を、マンホール部材１の狭い場所に、容易に且つ迅速に設置することができる。
【００３４】
なお更に、接地体３を構成する樋状部材３ａの凹部溝３ａ１に、保持板３ｃを介して、導電性金属板３ｂを配設するとともに、導電性金属板３ｂに、絶縁導線３ｅ１が接続された接地導体部材３ｅを取り付け．更に、保持板３ｃ、導電性金属板３ｂ及び接地導体部材３ｅを、導電性セメント３ｆ内に埋設したので、保持板３ｃ、導電性金属板３ｂ及び接地導体部材３ｅ等の腐食を防止することができる。
【００３５】
上述した実施例には、接地導体部材３ｅが取り付けられる導電性金属板３ｂ部分には、保持板３ｃが配設されていない例が示されているが、他の個所と同様に、接地導体部材３ｅが取り付けられる導電性金属板３ｂ部分にも、樋状部材３ａの内面に、保持板３ｃの側板部３ｃ２を、適当な接着剤等により固着することにより、保持板３ｃを取着するとともに、保持板３ｃの底板部３ｃ１に穿設された孔３ｃ１’と接地導体部材３ｅ接続端子３ｅ２に穿設された孔３ｅ２’とを整合させ、且つ、これらの孔３ｃ１’、３ｅ２’に、ボルトＢを挿通し、ボルトＢにナットＮを螺合させることにより、保持板３ｃが配設された導電性金属板３ｂに、接地導体部材３ｅを取り付けることもできる。
【図面の簡単な説明】
【００３６】
【図１】図１は、本発明の埋設構造体接地装置等の全体斜視図である。
【図２】図２は、本発明の埋設構造体接地装置の接地体を構成する樋状部材の斜視図である。
【図３】図３は、本発明の埋設構造体接地装置の接地体を構成する導電性金属板の斜視図である。
【図４】図４は、本発明の埋設構造体接地装置の接地体を構成する保持板の斜視図である。
【図５】図５は、本発明の埋設構造体接地装置の接地体を構成する端部キャップの斜視図である。
【図６】図６は、本発明の埋設構造体接地装置の接地体を構成する接地導体部材の斜視図である。
【図７】図７は、本発明の埋設構造体接地装置を構成する接地体の組み立て途中の斜視図である。
【図８】図８は、同じく本発明の埋設構造体接地装置を構成する接地体の組み立て途中の斜視図である。
【図９】図９は、本発明の埋設構造体接地装置を構成する接地体が組み立てられた状態の斜視図である。
【符号の説明】
【００３７】
Ｇ・・・・・・・・・大地
ＧＬ・・・・・・・・大地地表面
１・・・・・・・・・マンホール部材
２・・・・・・・・・線路
３・・・・・・・・・接地体
３ａ・・・・・・・・樋状部材
３ｂ・・・・・・・・導電性金属板
３ｃ・・・・・・・・保持板
３ｄ・・・・・・・・端部キャップ
３ｅ・・・・・・・・接地導体部材
３ｆ・・・・・・・・導電性セメント
４・・・・・・・・・端子板
【図１】
0004689387.tif 000002
【図２】
0004689387.tif 000003
【図３】
0004689387.tif 000004
【図４】
0004689387.tif 000005
【図５】
0004689387.tif 000006
【図６】
0004689387.tif 000007
【図７】
0004689387.tif 000008
【図８】
0004689387.tif 000009
【図９】
0004689387.tif 000010